(57)【要約】【課題】  グレーチング蓋を取り外した状態での前後方向の開口長さを長くとることができて洗浄用ホースやバキューム用ホースを暗渠内に挿し込んでいく作業が容易にできるようにしたグレーチング蓋の蓋受け構造の提供。【解決手段】  透水性側溝Ａの途中に設置するグレーチング蓋４の蓋受け構造であって、側溝本体１に形成された左右の蓋受け段差面１４，１４間に蓋受け枠５が載置され、この蓋受け枠は前記左右の蓋受け段差面上に載置される左右の縦枠部材５０，５０と、この縦枠部材の両端部に連結された前後の横枠部材５１，５１とで方形枠に形成され、前記左右の縦枠部材間にグレーチング蓋を下から支える少なくとも２本の支持枠部材６，６が着脱可能に架設され、かつ前記支持枠部材にグレーチング蓋が着脱可能に取り付けられている。【選択図】  図１
2010255284.tif 000002
【特許請求の範囲】
【請求項１】
側溝本体（１）の上面が透水路面層（２）によって覆われている透水性側溝（Ａ）の途中に設置するグレーチング蓋（４）の蓋受け構造であって、
側溝本体に形成された左右の蓋受け段差面（１４），（１４）間に蓋受け枠（５）が載置され、
この蓋受け枠は前記左右の蓋受け段差面上に載置される左右の縦枠部材（５０），（５０）と、この縦枠部材の両端部に連結された前後の横枠部材（５１），（５１）とで方形枠に形成され、
前記左右の縦枠部材間にグレーチング蓋を下から支える少なくとも２本の支持枠部材（６），（６）が着脱可能に架設され、
かつ前記支持枠部材にグレーチング蓋が着脱可能に取り付けられていることを特徴とするグレーチング蓋の蓋受け構造。
【請求項２】
前記支持枠部材（６）が型材傾斜面（６ａ），（６ｂ）間の角部を頂部（６ｃ）とした山形型材により形成され、
前記蓋受け枠（５）の前後の横枠部材（５１），（５１）に、その蓋受け枠の内部から外方に向けて次第に裾広がりになるように枠材傾斜面（５１ａ），（５１ａ）が形成され、
前記支持枠部材は、その型材傾斜面（６ａ）がスペーサ（６３）を介して前記横枠部材の枠材傾斜面（５１ａ）に土砂等の目詰り防止用の空隙（Ｓ）を保持して対向するように設置されている請求項１記載のグレーチング蓋の蓋受け構造。
【発明の詳細な説明】
【技術分野】
【０００１】
本発明は、雨水の排水機能を有する透水路面層によって側溝本体の上面が覆われている透水性側溝において、この透水性側溝の途中に設置するグレーチング蓋の蓋受け構造に関する。
【背景技術】
【０００２】
従来、側溝本体の上面を雨水の排水機能を有する透水路面層によって覆うようにした透水性側溝が知られている（特許文献１、特許文献２参照）。
この透水性側溝は、山形型材による複数の蓋部材を通水口となる間隙を保持して連結させることで蓋体を形成させ、この蓋体を側溝本体に形成した左右の蓋受け段差面の間に載置させ、この蓋体の上に透水路面層を形成した暗渠構造になっている。
従って、雨水は透水路面層を透水し、さらに蓋体を形成する蓋部材間の間隙を通して側溝本体の内部に流入するもので、これにより雨水を効率よく側溝に排水させることができる。
【０００３】
このような透水性側溝では、その途中にグレーチング蓋を設置するようになっている。
このグレーチング蓋の蓋受け構造は、側溝本体に形成された左右の蓋受け段差面間に蓋受け枠が載置され、この蓋受け枠は前記左右の蓋受け段差面上に載置される左右の縦枠部材と、この縦枠部材の両端部間に連結固定された前後の横枠部材とで方形枠に形成され、この蓋受け枠内にグレーチング蓋を下から支える前後の支持枠部材が設けられていた（特許文献３参照）。
グレーチング蓋は、水落ち蓋としての機能を有すると共に、このグレーチング蓋を取り外すと、そこが透水性側溝（暗渠）の開口部となるため、この開口部を通して暗渠内の清掃や点検等を行うことができる管理用枡としての機能も有している。
【０００４】
透水性側溝の内部を清掃させる場合、高圧洗浄とバキュームを併用するのが一般的で、その洗浄用ホースやバキューム用ホースを、グレーチング蓋を取り外した状態の開口部から暗渠内に挿し込んでいく。
しかしながら、従来のグレーチング蓋の蓋受け構造では、グレーチング蓋を下から支える前後の支持枠部材が、蓋受け枠を構成する前後の横枠部材の内面に沿って連結固定されているため、この前後の支持枠部材の存在によって前後方向の開口長さが短くなってしまう。
このため、洗浄用ホースやバキューム用ホースを、開口部から暗渠内に挿し込んでいく場合に、作業がしにくくなるという問題があった。
【０００５】
また、従来では、グレーチング蓋を下から支える前後の支持枠部材が、蓋受け枠を構成する前後の横枠部材の内面に接触した状態で取り付けられているため、グレーチング蓋の前後端部では、グレーチング蓋から落ち込んだ土砂等の流出場所がなく、前後の横枠部材の内面と前後の支持枠部材の上面との隅部分に土砂等が滞留して目詰まりを起こし、水落ち機能が損なわれるという問題があった。
【先行技術文献】
【特許文献】
【０００６】
【特許文献１】特許公開２００５−２３７７６号公報
【特許文献２】特許公開２００５−１７１５９７号公報
【特許文献３】実用新案登録第３１３２６００号公報
【発明の概要】
【発明が解決しようとする課題】
【０００７】
本発明は、グレーチング蓋を取り外した状態での前後方向の開口長さを長くとることができて洗浄用ホースやバキューム用ホースを暗渠内に挿し込んでいく作業が容易にできるようにしたグレーチング蓋の蓋受け構造を提供することを第１の課題としている。
【０００８】
加えて、グレーチング蓋を下から支える前後の支持枠部材と、蓋受け枠を構成する前後の横枠部材との間に空隙を形成させることで、グレーチング蓋の前後端部における土砂等の滞留を防止させ、水落ち機能を損なうことがないようにしたグレーチング蓋の蓋受け構造を提供することを第２の課題としている。
【課題を解決するための手段】
【０００９】
上記第１の課題を解決するために、本発明（請求項１）の透水性側溝におけるグレーチング蓋の蓋受け構造は、
側溝本体（１）の上面が透水路面層（２）によって覆われている透水性側溝（Ａ）の途中に設置するグレーチング蓋（４）の蓋受け構造であって、
側溝本体に形成された左右の蓋受け段差面（１４），（１４）間に蓋受け枠（５）が載置され、
この蓋受け枠は前記左右の蓋受け段差面上に載置される左右の縦枠部材（５０），（５０）と、この縦枠部材の両端部に連結された前後の横枠部材（５１），（５１）とで方形枠に形成され、
前記左右の縦枠部材間にグレーチング蓋を下から支える少なくとも２本の支持枠部材（６），（６）が着脱可能に架設され、
かつ前記支持枠部材にグレーチング蓋が着脱可能に取り付けられている構成とした。
【００１０】
また、上記第２の課題を解決するために、本発明（請求項２）の透水性側溝におけるグレーチング蓋の蓋受け構造は、
請求項１記載のグレーチング蓋の蓋受け構造において、
前記支持枠部材（６）が型材傾斜面（６ａ），（６ｂ）間の角部を頂部（６ｃ）とした山形型材により形成され、
前記蓋受け枠（５）の前後の横枠部材（５１），（５１）に、その蓋受け枠の内部から外方に向けて次第に裾広がりになるように枠材傾斜面（５１ａ），（５１ａ）が形成され、
前記支持枠部材は、その型材傾斜面（６ａ）がスペーサ（６３）を介して前記横枠部材の枠材傾斜面（５１ａ）に土砂等の目詰り防止用の空隙（Ｓ）を保持して対向するように設置されている構成とした。
【００１１】
なお、本発明において、「左右」とは側溝の幅方向（図２および図３において紙面左右方向）を言い、「前後」とは側溝の長さ方向（図１において紙面左右方向、図２において紙面上下方向）を言う。
【発明の効果】
【００１２】
本発明（請求項１）の蓋受け構造は、蓋受け枠の左右の縦枠部材間にグレーチング蓋を下から支える少なくとも２本の支持枠部材を備え、この支持枠部材を着脱可能に設けた構成に特徴がある。
従って、透水性側溝（暗渠）の清掃に際し、グレーチング蓋を支持枠部材から取り外せば、この支持枠部材は蓋受け枠の左右の縦枠部材間に着脱可能に架設されているため、これを蓋受け枠から簡単に取り外すことができる。
これにより、グレーチング蓋を取り外した状態での前後方向の開口長さを長くとることができ、洗浄用ホースやバキューム用ホースを暗渠内に挿し込んでいく作業が容易にできる。
【００１３】
上記のように、支持枠部材を着脱可能にさせた場合、この支持枠部材を取り付けるときに、支持枠部材と横枠部材とが当接してしまうと、グレーチング蓋を通して落下してくる土砂やゴミ等が支持枠部材と横枠部材との間に滞留してしまい、水落ち機能が損なわれてしまう。
そこで、本発明（請求項２）の蓋受け構造では、支持枠部材を、スペーサを介して横枠部材に土砂等の目詰り防止用の空隙を保持して対向するように設置させている。
これにより、土砂やゴミ等は目詰り防止用の空隙から側溝の内部に落下していき、水落ち機能が損なわれるといった問題を解消できる。
【００１４】
また、洗浄用ホースやバキューム用ホースを暗渠内に挿し込んでいく場合、横枠部材の内側下端縁部分が角張っていると、その角張りに洗浄用ホースやバキューム用ホースが擦れて傷付くことがある。
そこで、本発明（請求項２）の蓋受け構造では、前記蓋受け枠の横枠部材に、その蓋受け枠の内部から外方に向けて次第に裾広がりになるように枠材傾斜面を形成させている。
このように、横枠部材に枠材傾斜面を形成させると、この枠材傾斜面が横枠部材の内側下端縁部分を面取り加工したものと同じ状態になるため、洗浄用ホースやバキューム用ホースが角張りに擦れるといったことがなくなり、スムーズに暗渠内に挿し込んでいくことができる。
【図面の簡単な説明】
【００１５】
【図１】本発明の透水性側溝におけるグレーチング蓋の蓋受け構造を示す側溝の長さ方向断面図である。
【図２】その蓋受け構造を示す切欠平面図である。
【図３】その蓋受け構造を示す側溝の幅方向断面図である。
【図４】支持枠部材の斜視図である。
【図５】蓋受け構造の他の実施例の要部を示す断面図である。
【発明を実施するための形態】
【００１６】
図において、１は側溝本体で、現場打ち施工によって形成され、上面が開口し、底部１１と左右の側壁１２，１２により内部が樋状の溝水路１３に形成された略Ｕ字状に形成され、前記両側壁１２，１２の内面上端部分に左右の蓋受け段差面１４，１４が形成されている。
なお、側溝本体１としてコンクリート二次製品を用いることができる。
【００１７】
そして、前記側溝本体１の上面が透水路面層２により覆われることで、透水性側溝Ａが形成されている。
この実施例では、山形型材による複数の蓋部材３０を通水口となる間隙３１を保持して連結部材３２により連結させることで蓋体３を形成させ、この蓋体３を側溝本体１の左右の蓋受け段差面１４，１４の間に載置させ、この蓋体３の上に透水路面層２を形成した透水性側溝Ａに形成されている。
【００１８】
本実施例の透水性側溝Ａは、これを前記特許文献１（特開２００５−２３７７６号公報）に示したような従来構造の通水性舗装路Ｂの路肩部分に設置させた例である。
透水性側溝Ａは、下地層（不透水層）９１の上に通水性表層９０が形成された通水性舗装路Ｂの路肩部に設置され、この透水性側溝Ａの透水路面層２と前記通水性舗装路Ｂの通水性表層９０とが同時施工で一体に連続して形成されている。
なお、実施例では透水性側溝Ａの一側（画面右側）を通水性舗装路Ｂの通水性表層９０に連続させた施工例を示したが、これに限らず、透水性側溝Ａの左右両側を通水性舗装路Ｂの通水性表層に連続させるように施工することもできる。
【００１９】
このように透水性側溝Ａの透水路面層２を通水性舗装路Ｂの通水性表層９０に連続させるように施工することで、通水性舗装路Ｂ上の雨水を通水性表層９０に透水させたのち、この通水性表層９０から引き続き連続して透水路面層２に流入させることができる。
尚、通水性舗装路Ｂを形成せずに、蓋体３の上だけに透水路面層２を形成した透水性側溝に本発明を適用することができる。
【００２０】
このような透水性側溝Ａにおいて、側溝本体１の内部を点検し管理するために、その途中にグレーチング蓋４を設置させるもので、この場合、側溝本体１の左右の蓋受け段差面１４，１４の間に蓋受け枠５を載置させ、この蓋受け枠５の内部にグレーチング蓋４を取り付けるようになっている。
【００２１】
前記グレーチング蓋４は、いわゆる水落ち蓋であり、図３に示すように、外周に設けた方形外枠４０の内部に前後方向の桟フレーム４１と左右方向の連結フレーム４２で多数のスリット孔４３が形成され、その４角部分にボルト取り付け用の通し孔４４が形成されている。
【００２２】
前記蓋受け枠５は前記左右の蓋受け段差面１４，１４上に載置される左右の縦枠部材５０，５０と、この縦枠部材５０，５０の両端部に連結された前後の横枠部材５１，５１とで方形枠に形成されている。
前記左右の縦枠部材５０，５０は断面略Ｌ字状に形成され、また、前記前後の横枠部材５１，５１には、その下側半部分に蓋受け枠５の内部から外方に向けて次第に裾広がりになるようにした斜め内下向きの枠材傾斜面５１ａ，５１ａが形成されている。
なお、前記縦枠部材５０の立片には前後方向に延長してスリット孔５０ａが形成され、このスリット孔５０ａを通して前記通水性表層９０からの雨水を蓋受け枠５の内部を経て側溝本体１内に流入させるようになっている。
【００２３】
前記蓋受け枠５の左右の縦枠部材５０，５０間に、蓋受け枠５の前後端部及び中央部においてグレーチング蓋４を下から支える３本の支持枠部材６，６，６が着脱可能に架設されている。
この支持枠部材６は、図４に示すように、型材傾斜面６ａ，６ｂ間の角部を頂部６ｃとした山形型材で形成されている。
前後端部に配設する支持枠部材６，６には、その頂部６ｃの両端部にボルト６１が溶接によって固定され、このボルト６１をグレーチング蓋４の通し孔４４に下から挿通させてナット６２により締め付けることで、支持枠部材にグレーチング蓋４を着脱可能に取り付けるようにしている。
【００２４】
また、前後端部に配設される支持枠部材６，６は、その斜め外上向きの型材傾斜面６ａがスペーサ６３を介して前記横枠部材５１の斜め内下向きの枠材傾斜面５１ａに土砂等の目詰り防止用の空隙Ｓを保持して対向するように設置される。
前記スペーサ６３は、支持枠部材６の型材傾斜面６ａの複数ヶ所（実施例では３ヶ所）に棒材を溶接することによって形成されている。
このスペーサ６３としては、棒材に限ることなく、板材（図５に示す）や突起等でも良いし、また、支持枠部材６の型材傾斜面６ａに突設させる他に、前記横枠部材５１の枠材傾斜面５１ａに突設させても良い。
【００２５】
また、前後端部に配設される支持枠部材６，６は、押し付けボルト７によって前記横枠部材５１に押し付けられる。
この場合、前記蓋受け枠５の左右の縦枠部材５０にステイ７０が固定され、このステイ７０に押付けボルト７が前後方向に進退可能に螺合され、この押付けボルト７の先端を支持枠部材６の型材傾斜面６ｂ（横枠部材５１とは反対側の傾斜面）に設けた受け板７１に押し当てることで、支持枠部材６を前記横枠部材５１に押し付けて固定させるようにしている。
【００２６】
なお、前記左右の縦枠部材５０，５０には、中央部に配設される支持枠部材６の両端部に当接させるピン５５が突設され、このピン５５により支持枠部材６の前後方向の移動が規制されてガタツキを防止することができる。
【００２７】
また、前記左右の縦枠部材５０には、側溝の幅方向に進退可能に位置決めボルト５６が螺合され、この位置決めボルト５６を側溝本体１の側壁１２の上部内面に押し当てることで、蓋受け枠５の設置位置を調整することができる。
【００２８】
また、前記前後の横枠部材５１には、それぞれ下端から外向きに突出して押え板５７が突設され、この押え板５７を蓋体３端部蓋部材３０の下側に挿し込むことで、この蓋部材３０により押え板５７を押さえて蓋受け枠５の浮き上がりを規制させるようになっている。
【００２９】
次に、図５は本発明の蓋受け構造の他の実施例を示したもので、この実施例ではスペーサ６３として板材を使用している。
この場合、スペーサ６３としての板材を、その板厚方向が左右方向になるようにして支持枠部材６の型材傾斜面６ａに溶接させ、これにより、支持枠部材６をその型材傾斜面６ａが横枠部材５１の枠材傾斜面５１ａに目詰り防止用の空隙Ｓを保持して対向するように設置させている。
この実施例では、前記図１で示した棒材によるスペーサ６３を用いた場合に比べ、空隙Ｓの幅（前後方向長さ）が広く形成されており、このように空隙Ｓの幅については、適宜に設定することができる。
【００３０】
また、この図５に示す実施例では、側溝本体１の蓋受け段差面１４，１４上に載置した状態の蓋受け枠５を固定させるための固定部材８が設けられている。
この固定部材８は、側溝本体１の側壁１２の上部内面にインサートしたアンカーボルト８１に取り付けられ、その押え板部８０を蓋受け枠５の横枠部材５１の傾斜部外面５１ｂに押し付けた状態でナット８２により締結されている。
【００３１】
以上のように本発明では、支持枠部材６を着脱可能に設けているので、これを蓋受け枠５の内部から簡単に取り外すことができ、よって、グレーチング蓋４を取り外した状態での前後方向の開口長さを長くとることができ、洗浄用ホースやバキューム用ホースを暗渠内に挿し込んでいく作業が容易にできる。
【００３２】
また、支持枠部材６を、スペーサ６３を介して横枠部材５１に目詰り防止用の空隙Ｓを保持して対向するように設置させているため、土砂やゴミ等を目詰り防止用の空隙Ｓから側溝の内部に落下させることができ、水落ち機能が損なわれることがない。
【００３３】
蓋受け枠５の横枠部材５１に枠材傾斜面５１ａを形成させているため、洗浄用ホースやバキューム用ホースが角張りに擦れるといったことがなくなり、スムーズに暗渠内に挿し込んでいくことができる。
【符号の説明】
【００３４】
１  側溝本体
１１  底部
１２  側壁
１３  溝水路
１４  蓋受け段差面
２  透水路面層
３  蓋体
３０  蓋部材
３１  間隙
３２  連結部材
４  グレーチング蓋
４０  方形外枠
４１  桟フレーム
４２  連結フレーム
４３  スリット孔
４４  通し孔
５  蓋受け枠
５０  縦枠部材
５０ａ  スリット孔
５１  横枠部材
５１ａ  枠材傾斜面
５１ｂ  傾斜部外面
５５  ピン
５６  ボルト
５７  押え板
６  支持枠部材
６ａ  型材傾斜面
６ｂ  型材傾斜面
６ｃ  頂部
６１  ボルト
６２  ナット
６３  スペーサ
７  押し付けボルト
７０  ステイ
７１  受け板
８  固定部材
８０  押え板部
８１  アンカーボルト
８２  ナット
９０  通水性表層
９１  下地層
Ａ  透水性側溝
Ｂ  通水性舗装路
Ｓ  空隙
【図１】
2010255284.tif 000003
【図２】
2010255284.tif 000004
【図３】
2010255284.tif 000005
【図４】
2010255284.tif 000006
【図５】
2010255284.tif 000007